(57)【要約】【課題】停電時の明るさを確保することが可能な引掛シーリングを提供する。【解決手段】引掛シーリング１は、器体１１に設けられ施工面側から交流電源の給電線が接続される複数個の電源接続用端子２ａと、器体１１に設けた引掛栓刃挿入口１９に対応する部位で器体１１内にそれぞれ配設され、引掛栓刃挿入口１９の一端部から挿入された引掛キャップ４０の引掛栓刃４１が引掛栓刃挿入口１９の他端部に移動したときに引掛栓刃４１を引掛保持する引掛栓刃受部２２と、電源接続用端子２ａを介して入力される交流電力を直流電力に変換して引掛栓刃受部２２に供給するＡＣ−ＤＣ変換部４と、交流電源の停電を検知する停電検知回路５と、ＡＣ−ＤＣ変換回路４の出力により充電される二次電池９と、停電検知回路５が停電を検知すると二次電池９を電源として引掛栓刃受部２２に接続された照明器具型の直流機器１０２，１０２’を点灯させる制御回路１０とを備える。【選択図】図１
2009158299.tif 000002
【特許請求の範囲】
【請求項１】
直流電力の供給を受けて動作する直流機器の引掛キャップが着脱自在に接続され、引掛キャップを介して直流機器に直流電力を供給する引掛シーリングであって、
施工面に露設され施工面側とは異なる面にそれぞれ弧状に開口する複数個の引掛栓刃挿入口を有した器体と、器体に設けられ施工面側から交流電源の給電線が接続される複数個の電源接続用端子と、各引掛栓刃挿入口に対応する部位で器体内にそれぞれ配設され、引掛栓刃挿入口の一端部から挿入された引掛キャップの引掛栓刃が引掛栓刃挿入口の他端部に移動したときに引掛栓刃を引掛保持する引掛栓刃受部と、複数個の電源接続用端子を介して入力される交流電力を直流電力に変換して引掛栓刃受部に供給するＡＣ−ＤＣ変換部と、交流電源の停電を検知する停電検知部と、ＡＣ−ＤＣ変換部の出力により充電される二次電池と、停電検知部が停電を検知すると二次電池を電源として光源を点灯させる点灯制御部とを備えたことを特徴とする引掛シーリング。
【請求項２】
前記光源が、引掛栓刃受部に引掛キャップが接続される照明器具型の直流機器からなり、点灯制御部は、停電検知部が停電を検知すると二次電池から前記引掛栓刃受部に直流電力を供給させることを特徴とする請求項１記載の引掛シーリング。
【請求項３】
前記光源が、器体において施工面から露出する部位に配設された発光部からなることを特徴とする請求項１記載の引掛シーリング。
【請求項４】
周囲の明るさを検知する明るさセンサを備え、前記点灯制御部は、明るさセンサの検知した明るさが所定の基準値よりも暗く、且つ、前記停電検知部が停電を検知すると、前記光源を点灯させることを特徴とする請求項１乃至３の何れか１項に記載の引掛シーリング。
【請求項５】
前記引掛栓刃受部に直付け型の照明器具からなる直流機器が接続された場合に当該照明器具によって覆われる部位に前記明るさセンサが配置されたことを特徴とする請求項４記載の引掛シーリング。
【請求項６】
電源接続用端子と当該電源接続用端子に対応するＡＣ−ＤＣ変換部の交流入力端との間に外部スイッチを接続するためのスイッチ接続用端子を備え、前記停電検知部がスイッチ接続用端子よりも上流側の検出点で停電を検知することを特徴とする請求項１乃至５の何れか１項に記載の引掛シーリング。
【発明の詳細な説明】
【技術分野】
【０００１】
本発明は、引掛シーリングに関するものである。
【背景技術】
【０００２】
従来、天井面等の施工面に取り付けられるとともに、照明器具の引掛キャップが着脱自在に接続され、引掛キャップを介して照明器具に交流電力を供給する引掛シーリングが提供されている（例えば特許文献１参照）。
【０００３】
この引掛シーリングは施工面に露設される器体を備え、器体の室内側の面には弧状に開口する複数個の引掛栓刃挿入口が形成されている。また器体には施工面側からの電線が接続される複数個の端子が設けられるとともに、器体内部の各引掛栓刃挿入口に対応する部位には、端子に各別に電気的に接続され、引掛栓刃挿入口の一端部から挿入された引掛キャップの引掛栓刃が引掛栓刃挿入口の他端部に移動したときに引掛栓刃を引掛保持する引掛栓刃受部が収納されている。
【特許文献１】特開２００１−３５５８５号公報
【発明の開示】
【発明が解決しようとする課題】
【０００４】
上述の引掛シーリングでは、施工面側からの電線が複数の端子に接続され、電線を介して供給される交流電力を引掛栓刃受部に供給しているのであるが、交流電源の停電時には照明器具側に電力を供給することができず、照明器具が消灯してしまうため、明るさを確保できないという問題があった。
【０００５】
本発明は上記問題点に鑑みて為されたものであり、その目的とするところは、停電時の明るさを確保することが可能な引掛シーリングを提供することにある。
【課題を解決するための手段】
【０００６】
上記目的を達成するために、請求項１の発明は、直流電力の供給を受けて動作する直流機器の引掛キャップが着脱自在に接続され、引掛キャップを介して直流機器に直流電力を供給する引掛シーリングであって、施工面に露設され施工面側とは異なる面にそれぞれ弧状に開口する複数個の引掛栓刃挿入口を有した器体と、器体に設けられ施工面側から交流電源の給電線が接続される複数個の電源接続用端子と、各引掛栓刃挿入口に対応する部位で器体内にそれぞれ配設され、引掛栓刃挿入口の一端部から挿入された引掛キャップの引掛栓刃が引掛栓刃挿入口の他端部に移動したときに引掛栓刃を引掛保持する引掛栓刃受部と、複数個の電源接続用端子を介して入力される交流電力を直流電力に変換して引掛栓刃受部に供給するＡＣ−ＤＣ変換部と、交流電源の停電を検知する停電検知部と、ＡＣ−ＤＣ変換部の出力により充電される二次電池と、停電検知部が停電を検知すると二次電池を電源として光源を点灯させる点灯制御部とを備えたことを特徴とする。
【０００７】
請求項２の発明は、請求項１の発明において、光源が、引掛栓刃受部に引掛キャップが接続される照明器具型の直流機器からなり、点灯制御部は、停電検知部が停電を検知すると二次電池から引掛栓刃受部に直流電力を供給させることを特徴とする。
【０００８】
請求項３の発明は、請求項１の発明において、光源が、器体において施工面から露出する部位に配設された発光部からなることを特徴とする。
【０００９】
請求項４の発明は、請求項１乃至３の何れかの発明において、周囲の明るさを検知する明るさセンサを備え、点灯制御部は、明るさセンサの検知した明るさが所定の基準値よりも暗く、且つ、停電検知部が停電を検知すると、光源を点灯させることを特徴とする。
【００１０】
請求項５の発明は、請求項４の発明において、引掛栓刃受部に直付け型の照明器具からなる直流機器が接続された場合に当該照明器具によって覆われる部位に明るさセンサが配置されたことを特徴とする。
【００１１】
請求項６の発明は、請求項１乃至５の何れかの発明において、電源接続用端子と当該電源接続用端子に対応するＡＣ−ＤＣ変換部の交流入力端との間に外部スイッチを接続するためのスイッチ接続用端子を備え、停電検知部がスイッチ接続用端子よりも上流側の検出点で停電を検知することを特徴とする。
【発明の効果】
【００１２】
請求項１の発明によれば、ＡＣ−ＤＣ変換部が、施工面側からの給電線を介して供給される交流電力を直流電力に変換して引掛栓刃受部に供給するとともに、ＡＣ−ＤＣ変換部の出力により二次電池を充電しており、停電検知部が交流電源の停電を検知すると、点灯制御部が二次電池を電源として光源を点灯させているので、引掛シーリングに非常灯の機能を持たせて、周囲の明るさを確保することができる。
【００１３】
請求項２の発明によれば、停電時には点灯制御部が二次電池から引掛栓刃受部に直流電力を供給させ、引掛栓刃受部に引掛キャップが接続された照明器具型の直流機器を点灯させているので、引掛シーリングに接続された照明器具を非常灯として動作させることができる。
【００１４】
請求項３の発明によれば、引掛シーリング自体を非常灯として動作させることができる。
【００１５】
請求項４の発明によれば、周囲の明るさが基準値よりも明るい場合には点灯制御部が光源を消灯させるので、二次電池の消耗を抑制することができ、その結果二次電池に容量の小さいものを使用することができる。
【００１６】
請求項５の発明によれば、直付け型の照明器具からなる直流機器を引掛シーリングに接続すると、この照明器具によって明るさセンサが覆われるから、明るさセンサにより検出される明るさが基準値よりも暗くなり、停電を検知した場合には常に光源を点灯させることができる。
【００１７】
請求項６の発明によれば、停電検知部がスイッチ接続用端子よりも上流側の検出点で停電を検出しているので、スイッチ接続用端子に接続された外部スイッチによりＡＣ−ＤＣ変換部への電力供給が停止させられた場合でも交流電源の停電を確実に検出して、光源を点灯させることができる。
【発明を実施するための最良の形態】
【００１８】
以下に本発明の実施の形態を図面に基づいて説明する。
【００１９】
（実施形態１）
本発明の実施形態１を図１〜図４に基づいて説明する。本実施形態の引掛シーリングは施工面としての天井面に設置されるものであって、直流電力の供給を受けて動作する直流機器の引掛キャップが着脱自在に接続され、当該引掛キャップを介して直流機器へ直流電源を供給するものである。
【００２０】
図１（ａ）は本実施形態の引掛シーリング１を用いる配電システムの要部を示した概略のシステム構成図であり、住宅内に設置された分電盤１１０内の分岐ブレーカ１１５から分岐した交流供給線路Ｗａｃに引掛シーリング１が接続されている。
【００２１】
引掛シーリング１は、図１（ａ）（ｂ）に示すように施工面側からの交流供給線路Ｗａｃが接続される電源接続用端子２ａと、送り配線用の端子２ｂと、直流機器１０２が備える引掛キャップ４０に設けた一対の引掛栓刃４１と引掛係止する引掛栓刃受部２２を具備して、引掛キャップ４０が着脱自在に接続される引掛接続部３と、電源接続用端子２ａを介して入力される交流電力を直流電力に変換して引掛栓刃受部２２に供給するＡＣ−ＤＣ変換回路４（ＡＣ−ＤＣ変換部）と、リレー接点あるいは半導体スイッチからなり、ＡＣ−ＤＣ変換回路４の一方の直流出力端子と引掛栓刃受部２２との間を接続する電路の途中に設けられたスイッチＳＷと、ＡＣ−ＤＣ変換回路４の出力電圧をもとに交流電源の停電を検知する停電検知回路５（停電検知部）と、フォトダイオードのような受光素子を備えて周囲の明るさを検知する明るさセンサ回路６と、明るさ検知機能を入／切するための入／切スイッチ７と、通電時にはＡＣ−ＤＣ変換回路４の出力電圧により二次電池９を充電するとともに、停電時には二次電池９を放電させて引掛栓刃受部２２に電力を供給する充放電回路８と、停電検知回路５および明るさセンサ回路６の検出結果に基づいて充放電回路８の動作を制御する制御回路１０（点灯制御部）とを備えている。なお二次電池９は、ＡＣ−ＤＣ変換回路４の出力電圧と略同じ電圧まで充電され、交流電源の停電時には停電検知回路５、明るさセンサ回路６、充放電回路８および制御回路１０は二次電池９から動作電源を得るようになっている。
【００２２】
ここで、引掛シーリング１の動作について説明する。なお、引掛シーリング１の引掛接続部３には、ペンダント型の照明器具からなる直流機器１０２の引掛キャップ４０が接続されているものとする。また入／切スイッチ７により明るさ検知機能がオフになっているものとする。
【００２３】
交流電源の通電中は、引掛シーリング１のＡＣ−ＤＣ変換回路４が、交流供給線路Ｗａｃを介して供給された交流電力を直流に変換して、引掛栓刃受部２２に供給するので、引掛接続部３に接続された照明型の直流機器１０２が点灯する。なお停電検知回路５はＡＣ−ＤＣ変換回路４の出力電圧と所定の基準電圧とを比較することによって停電の有無を検知しており、停電検知回路５が停電を検知していない場合、制御回路１０はスイッチＳＷを閉極させるとともに、充放電回路８により二次電池９の充電を行わせている。
【００２４】
一方、交流電源の停電などにより交流供給線路Ｗａｃを介して交流電源が供給されなくなると、ＡＣ−ＤＣ変換回路４の出力電圧が０Ｖとなって、停電検知回路５により停電が検知されるので、点灯制御部たる制御回路１０が、停電検知回路５からの検知入力に基づいて、スイッチＳＷを開極させるとともに、充放電回路８により二次電池９の放電を開始させる。二次電池９が、通電時に充電された電荷を放出すると、二次電池９から引掛接続部３に接続された直流機器１０２に電源が供給され、直流機器１０２が点灯するので、引掛接続部３に接続された直流機器１０２を非常灯として使用することができる。なお、直流電力の供給を受けて動作する照明器具型の直流機器１０２では発光源に発光ダイオードを用いており、発光ダイオードを用いる照明器具の消費電流は、発光源に白熱灯や蛍光灯を用いる照明器具に比べて非常に小さいので、容量の小さい二次電池９でも照明器具型の直流機器１０２を長時間点灯させることができる。
【００２５】
ここで、入／切スイッチ７により明るさ検知機能がオフになっている場合、制御回路１０では、周囲の明るさの明暗に関係なく、停電が発生すると二次電池９から直流機器１０２へ電源を供給させているが、入／切スイッチ７により明るさ検知機能がオンに設定されると、停電発生時に明るさセンサ回路６が検知した周囲の明るさが、所定の基準値よりも暗くなった場合のみ、制御回路１０が充放電回路８により二次電池９の放電を開始させ、二次電池９を電源として引掛接続部３に接続された直流機器１０２を点灯させるので、周囲が基準値よりも明るい場合には直流機器１０２が点灯することはなく、二次電池９の消耗を抑制して、電池寿命を延ばすことができるとともに、二次電池９に容量の小さいものを使用することができる。
【００２６】
ところで、引掛接続部３には、ペンダント型の照明器具からなる直流機器１０２の代わりに、天井直付け型（シーリング型）の照明器具からなる直流機器１０２’を接続することもでき、明るさセンサ回路６が備える受光素子の受光部は、引掛接続部３に天井直付け型（シーリング型）の照明器具からなる直流機器１０２’が接続された場合に、当該直流機器１０２’によって覆われる部位に配置されている。したがって、このような直流機器１０２’が引掛接続部３に接続されると、明るさセンサ回路６により検出される明るさが上記基準値よりも暗くなるから、停電検知回路５が停電を検知した場合には制御回路１０が光源（照明器具型の直流機器１０２’）を常に点灯させることができる。
【００２７】
図２は引掛シーリング１の分解斜視図、図３は引掛シーリング１を下側から見た外観斜視図であり、本実施形態の引掛シーリング１は、上面が開口した有底円筒状であって、上面を天井面に当接させた形で施工される器体１１と、器体１１の上面側から器体１１内に挿入される円板状の端子カバー１２とを備える。器体１１および端子カバー１２は熱硬化性樹脂であるメラミンフェノール樹脂ないしポリエステル樹脂の成形品であって難燃性を有している。
【００２８】
器体１１と端子カバー１２とはタッピンねじである組立ねじ１３により結合される。端子カバー１２の周部の２箇所には切欠１２ａが形成され、器体１１の周部内側面に設けた筒部１１ａに切欠１２ａが嵌合することによって器体１１と端子カバー１２とが位置決めされるようになっている。
【００２９】
器体１１の底壁内側面には一対の立壁１４が突設され、立壁１４の上に端子カバー１２を載置した状態で端子カバー１２を通して組立ねじ１３を立壁１４の穴１４ａにねじ込むことにより器体１１と端子カバー１２とが結合される。ここで、立壁１４の上に端子カバー１２を載置したときに、器体１１の上面よりも端子カバー１２の上面のほうが下方に位置するように、器体１１と端子カバー１２と立壁１４との寸法関係が設定されている。
【００３０】
器体１１の周壁内周面の２箇所には筒部１１ａが形成され、筒部１１ａには器体１１を上下に貫通する挿入孔１５が形成されている。挿入孔１５には器体１１の下面側から固定ねじ（図示せず）が挿入され、この固定ねじの上端部を天井面に螺入することによって、器体１１を天井面に固定することができる。
【００３１】
器体１１の内部は、器体１１底壁内側面に突設された仕切壁１６によって２分されている。仕切壁１６の長手方向中央部には受け片１６ａが両側方へ向かって突設されるとともに、仕切壁１６の長手方向両端部に支持リブ１６ｂが両側方へ向かって突設されている。さらに、器体１１の底壁内側面には支持リブ１６ｂに対して仕切壁１６の反対側に突台１８が突設されている。
【００３２】
器体１１の内部は仕切壁１６によって２つの収納室に仕切られており、各収納室１７に対応する部位において器体１１の底壁の周部には図３に示す引掛キャップ４０の引掛栓刃４１、４１が挿入されるほぼ円弧状の引掛栓刃挿入口１９、１９がそれぞれ１個ずつ開口している。両引掛栓刃挿入口１９，１９は、器体１１の底壁の中心を中心とする円周上に形成されている。各引掛栓刃挿入口１９は、図３に示す向きにおいて引掛キャップ４０を左回りに回転させたときの一端側に、他の部位よりも幅広の幅広部１９ａを備えている。尚、幅広部１９ａは他の部位である幅狭部１９ｂに対して、内向きに突出する形で引掛栓刃挿入口１９の幅を広げている。そして、側面視Ｌ字形に形成された引掛栓刃４１を引掛栓刃挿入口１９に挿入する際には、引掛栓刃４１を先ず幅広部１９ａから引掛栓刃挿入口１９に挿入した後、図３における右回りに回転させ、引掛栓刃４１の先端部を引掛栓刃挿入口１９の幅狭部１９ｂの周縁に重複させる。引掛栓刃挿入口１９の幅狭部１９ｂには引掛栓刃受部２２が対応して設けられている。ここにおいて引掛栓刃挿入口１９と引掛栓刃受部２２とで上述の引掛接続部３が構成され、引掛栓刃挿入口１９，１９の形状および寸法は交流電源用の引掛シーリングとは異なる形状および寸法に設定されている。また引掛栓刃挿入口１９，１９の一方は正極用、他方は負極用であり、極性を誤って引掛栓刃が挿入されないように、正極用の引掛栓刃挿入口１９と負極用の引掛栓刃挿入口１９とは、底壁の中心に対して非対称な形状に形成することが好ましく、また引掛栓刃４１も引掛栓刃挿入口１９の形状に合わせて正極用と負極用とで非対称な形状に形成することが好ましい。
【００３３】
引掛栓刃受部２２は板金により形成されたものであり、引掛栓刃４１の先端部を挟持する刃受ばね２２ａを有し、この刃受ばね２２ａが引掛栓刃挿入口１９に沿って配置されている。また刃受ばね２２ａにおいて引掛栓刃挿入口１９の幅広部１９ａに臨む先部は、引掛栓刃４１が刃受ばね２２ａに乗り上げ易くするために、先端側から登り傾斜面となっている。而して引掛栓刃４１の先端部が幅狭部１９ｂに導入されると、引掛栓刃４１の先端部が刃受ばね２２ａの上り傾斜面に乗り上げ、刃受ばね２２ａによって引掛保持されるのである。なお引掛栓刃受部２２において刃受ばね２２ａの先端部より延長される部位は器体１１の底面との間で隙間があり、引掛栓刃４１の先端部と、引掛キャップ４０のボディとの間に刃受ばね２２ａと器体１１の底壁とが介在する際に刃受ばね２２ａの上向きばね弾性に抗しながら引掛栓刃４１の先端部が刃受ばね２２ａに弾接するようになっている。
【００３４】
また器体１１の各収納室には、施工面側から交流電源の給電線が接続される一対の端子金具２０が収納されている。端子金具２０は板金により形成されたものであり、器体１１の底壁内側面に立設された形で配置される。なお端子金具２０は、支持リブ１６ｂに当接する一対の端子板２０ａと、両端子板２０ａの片側縁間を連結する連結片２０ｂとによりコ字形に形成されている。そして、各収納室において受け片１６ａと端子板２０ａとの間には鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子板２０ａに対向するように配置される。
【００３５】
ここで、施工面側から交流電源の給電線（電源線）を電源接続用端子２ａに接続する際に、端子カバー１２に形成した電線挿入口３３を通して鎖錠片３２ｂ側から電源線を導入すれば、接触片３２ａおよび鎖錠片３２ｂと端子板２０ａとの間に電源線の芯線を挟持することができ、このとき接触片３２ａが電源線の芯線に接触して電気的接続状態を確保し、鎖錠片３２ｂの先端縁が電源線の芯線に食い込んで電源線を抜けないように保持する。ここにおいて端子金具２０の端子板２０ａと鎖錠ばね３２とを用いたいわゆる速結端子構造の端子により上述の端子２ａ，２ｂが構成される。
【００３６】
また、端子板２０ａと鎖錠ばね３２とを用いて保持した電源線を取り外すために、器体１１内には解除釦３１が配置される。解除釦３１は、端子カバー１２に設けた切欠よりなる操作用開口部１２ｂと突台１８の中央台１８ａとの間に露出する操作部３１ａを備え、操作部３１ａの両端部には一対の鎖錠ばね３２の鎖錠片３２ｂの一部にそれぞれ当接する一対の押圧片３１ｂを備えている。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子金具２０に設けた挿入用切欠２０ｃを通して進退する。
【００３７】
而して、電源線を保持した状態で、操作用開口部１２ｂと中央台１８ａとに囲まれた部位にマイナスドライバ等の治具の先端部などを挿入し、操作部３１ａを押せば、押圧片３１ｂが一対の鎖錠片３２ｂを端子板２０ａから引き離す向きに撓ませるから、鎖錠片３２ｂが電源線から外れ、電源線をそのまま引き抜くことができる。ここで、解除釦３１は両端子金具２０に跨がる形で配置されており、異極の２個の鎖錠ばね３２の鎖錠片３２ｂを同時に撓ませるから、１個の解除釦３１で２本の電源線を同時に外すことが可能であり、操作性がよい。
【００３８】
また器体１１には両収納室に跨る形で、図１（ｂ）に示す回路が形成されたプリント配線板（図示せず）を収納してあり、プリント配線板には端子金具２０と引掛栓刃受部２２とが半田付けされている。なお明るさセンサ回路６が備える受光素子および入／切スイッチ７は、プリント配線板において器体１１の底壁と対向する面に実装されており、器体１１の底壁に設けた透光窓１１ｂに臨ませて受光素子の受光部が配置されるとともに、入／切スイッチ７の操作摘み７ａが器体１１の底壁に設けた操作孔１１ｃ内に配置されている。
【００３９】
また本実施形態の引掛シーリング１は、天井面に器体１１の上面を当接させた形で挿入孔１５を通して天井面に螺入する固定ねじ（図示せず）を用いて固定されるのであって、天井面に電源線を通すための通し孔を形成するだけで容易に施工設置することができる。
【００４０】
なお図２および図３に示した引掛シーリング１は、器体１１の上面を天井面に当接させた状態で施工される露出型のものであるが、図４に示すように天井面に設けた埋込孔（図示せず）に器体１１の上部を埋設した状態で施工される埋込型のものでも良い。
【００４１】
（実施形態２）
本発明の実施形態２を図５に基づいて説明する。本実施形態では、実施形態１で説明した引掛シーリング１において、図５（ａ）（ｂ）に示すように電源接続用端子２ａの一方の端子と、この端子に対応するＡＣ−ＤＣ変換回路４の交流入力端との間に外部スイッチ５０を接続するためのスイッチ接続用端子２ｃを設け、このスイッチ接続用端子２ｃよりも上流側の検出点の電圧から停電検知回路５が停電の有無を検出するようにしている。尚、スイッチ接続用端子２ｃおよび停電検知回路５以外の構成は実施形態１で説明した引掛シーリング１と同様であるので、共通する構成要素には同一の符号を付して、その説明は省略する。
【００４２】
また、上述の実施形態１では一対の端子板２０ａを連結片２０ｂにより連結して一体に形成しているが、本実施形態では鎖錠ばね３２と共に速結端子構造の端子を構成する４個の端子板２０ａがそれぞれ別体に形成され、各端子板２０ａが上述のプリント配線板に電気的に接続されている。そして、電源接続用端子２ａを構成する２個の端子板２０ａのうち、一方の端子板２０ａがＡＣ−ＤＣ変換回路４の一方の交流入力端に接続されるとともに、他方の端子板２０ａがスイッチ接続用端子２ｃを構成する一方の端子板２０ａに電気的に接続されている。またスイッチ接続用端子２ｃを構成する他方の端子板２０ａはＡＣ−ＤＣ変換回路４の他方の交流入力端子に電気的に接続されている。
【００４３】
次に、本実施形態の引掛シーリング１の動作について説明する。なお引掛シーリング１の引掛接続部３には照明型の直流機器１０２の引掛キャップ４０が接続されているものとする。また入／切スイッチ７により明るさ検知機能がオフになっているものとする。
【００４４】
交流電源の通電中に外部スイッチ５０がオンになっている状態では、引掛シーリング１のＡＣ−ＤＣ変換回路４が、外部スイッチ５０を介して供給された交流電力を直流に変換して、引掛栓刃受部２２に供給するので、引掛接続部３に接続された照明型の直流機器１０２が点灯する。なお停電検知回路５はスイッチ接続用端子２ｃよりも上流側の検出点の電圧を所定の基準電圧とを比較することによって停電の有無を検知しており、停電検知回路５が停電を検知していない場合、制御回路１０はスイッチＳＷを閉極させ、充放電回路８により二次電池９の充電を行わせている。
【００４５】
その後、外部スイッチ５０がオフされると、ＡＣ−ＤＣ変換回路４に交流電源が入力されなくなり、ＡＣ−ＤＣ変換回路４の出力が０Ｖになるので、引掛接続部３に接続された照明型の直流機器１０２が消灯する。ここで、停電検知回路５はスイッチ接続用端子２ｃよりも上流側の検出点の電圧から停電を検知しており、外部スイッチ５０がオフされても、交流電源の通電状態を検知できるので、充放電回路８により二次電池９の放電を開始させることはなく、照明型の直流機器１０２を消灯させる。
【００４６】
一方、交流電源の停電などにより交流供給線路Ｗａｃを介して交流電源が供給されなくなると、外部スイッチ５０のオン／オフに関係無く、検出点の電圧が０Ｖとなって（基準電圧よりも低下して）、停電検知回路５により停電が検知されるので、制御回路１０が、停電検知回路５からの検知入力に基づいて、スイッチＳＷを開極させるとともに、充放電回路８により二次電池９の放電を開始させる。この時、通電時に充電された電荷が二次電池９から放出され、引掛接続部３に接続された直流機器１０２に電源が供給されて直流機器１０２が点灯するので、引掛接続部３に接続された直流機器１０２を非常灯として使用することができる。
【００４７】
ここで、入／切スイッチ７により明るさ検知機能がオフになっている場合、制御回路１０では、周囲の明るさの明暗に関係なく、停電が発生すると二次電池９から直流機器１０２へ電源を供給させているが、入／切スイッチ７により明るさ検知機能がオンに設定されると、停電発生時に明るさセンサ回路６が検知した周囲の明るさが、所定の基準値よりも暗くなった場合のみ、充放電回路８により二次電池９の放電を開始させ、二次電池９を電源として引掛接続部３に接続された直流機器１０２を点灯させている。而して、周囲が基準値よりも明るい場合には直流機器１０２が点灯することはなく、二次電池９の消耗を抑制して、電池寿命を延ばすことができるとともに、二次電池９に容量の小さいものを使用することができる。なお明るさセンサ回路６の受光部は、引掛接続部３に天井直付け型（シーリング型）の照明器具１０２’が接続された場合に、当該照明器具１０２’によって覆われる部位に配置されているので、天井直付け型の照明器具１０２’が接続されると、明るさセンサ回路６により検出される明るさが基準値よりも暗くなるから、停電検知回路５が停電を検知した場合には常に光源を点灯させることができる。
【００４８】
以上説明したように本実施形態では、電源接続用端子２ａと当該電源接続用端子２ａに対応するＡＣ−ＤＣ変換回路４の交流入力端との間に外部スイッチ５０を接続するためのスイッチ接続用端子２ｃを備え、停電検知回路５がスイッチ接続用端子２ｃよりも上流側の検出点の電圧から停電の有無を検出しているので、スイッチ接続用端子２ｃに接続された外部スイッチ５０がオフされて、ＡＣ−ＤＣ変換回路４への電圧供給が停止させられた場合でも停電の発生を検出して、引掛接続部３に接続された照明型の直流機器１０２を点灯させ、非常灯として動作させることができる。
【００４９】
なお本実施形態においてスイッチ接続用端子２ｃに外部スイッチ５０を接続しない場合には、スイッチ接続用端子２ｃの端子板２０ａ，２０ａ間を短絡すれば良い。
【００５０】
（実施形態３）
本発明の実施形態３を図６〜図８に基づいて説明する。上述した実施形態１、２では停電発生時に引掛接続部３に接続された照明型の直流機器１０２に二次電池９から電源を供給して点灯させているが、本実施形態では図７（ａ）（ｂ）に示すように、引掛シーリング１の器体１１において施工面から露出する部位に発光部としての発光ダイオード（ＬＥＤ）２６を１乃至複数個配設し、停電時にこのＬＥＤ２６を点灯させることによって、引掛シーリング１自体に非常灯の機能を付加している。ここで、図７（ａ）は露出型の引掛シーリング１の外観斜視図を示しており、複数個のＬＥＤ２６は器体１１の側周面に一定の間隔をおいて配設されている。なお図７（ｂ）は埋込型の引掛シーリング１の一形態を示し、埋込型の場合には器体１１の底壁の外周部に一定の間隔をおいて複数個のＬＥＤ２６が配設されている。尚、ＬＥＤ２６とその点灯回路を除いては、実施形態２で説明した引掛シーリング１と同様であるので、共通する構成要素には同一の符号を付して、その説明は省略する。
【００５１】
そして、本実施形態の引掛シーリング１では、ＡＣ−ＤＣ変換回路４の一方の直流出力端と一方の引掛栓刃受部２２との間に、リレー接点あるいは半導体スイッチからなる２個のスイッチＳＷ１，ＳＷ２を直列に接続するとともに、スイッチＳＷ１，ＳＷ２の接続点と、ＡＣ−ＤＣ変換回路４の他方の直流出力端子との間に充放電回路８の入出力端を接続してある。またスイッチＳＷ１，ＳＷ２の接続点と、ＡＣ−ＤＣ変換回路４の他方の直流出力端子との間に、リレー接点あるいは半導体スイッチからなるスイッチＳＷ３を介してＬＥＤ点灯回路２５を接続してあり、ＬＥＤ点灯回路２５からＬＥＤ２６に電流を印加して、ＬＥＤ２６を点灯させている。
【００５２】
次に、本実施形態の引掛シーリング１の動作について説明する。なお引掛シーリング１の引掛接続部３には、図８（ａ）に示すようにペンダント型の照明器具よりなる直流機器１０２の引掛キャップ４０が接続されているものとする。また入／切スイッチ７により明るさ検知機能がオフになっているものとする。
【００５３】
交流電源の通電中は外部スイッチ５０がオンになっている状態では、引掛シーリング１のＡＣ−ＤＣ変換回路４が、外部スイッチ５０を介して供給された交流電力を直流に変換して、引掛栓刃受部２２に供給するので、引掛接続部３に接続された照明型の直流機器１０２が点灯する。なお停電検知回路５はスイッチ接続用端子２ｃよりも上流側の検出点の電圧を所定の基準電圧とを比較することによって停電の有無を検知しており、停電検知回路５が停電を検知していない場合、制御回路１０はスイッチＳＷ１，ＳＷ２を閉極させるとともに、スイッチＳＷ３を開極させているので、ＬＥＤ２６は消灯する。また制御回路１０は充放電回路８により二次電池９の充電を行わせている。
【００５４】
その後、外部スイッチ５０がオフされると、ＡＣ−ＤＣ変換回路４に交流電源が入力されなくなり、ＡＣ−ＤＣ変換回路４の出力が０Ｖになるので、引掛接続部３に接続された照明型の直流機器１０２が消灯する。ここで、停電検知回路５はスイッチ接続用端子２ｃよりも上流側の検出点の電圧を所定の基準電圧とを比較することによって停電の有無を検知しており、外部スイッチ５０がオフされても、交流電源の通電状態を検知できるので、制御回路１０はスイッチＳＷ１，ＳＷ２を閉極させるとともに、スイッチＳＷ３を開極させている。また制御回路１０は、充放電回路８により二次電池９の放電を開始させることはなく、照明型の直流機器１０２およびＬＥＤ２６を消灯させている。
【００５５】
一方、交流電源の停電などにより交流供給線路Ｗａｃを介して交流電源が供給されなくなると、外部スイッチ５０のオン／オフに関係無く、検出点の電圧が０Ｖとなって（基準電圧よりも低下して）、停電検知回路５により停電が検知されるので、制御回路１０が、停電検知回路５からの検知入力に基づいて、スイッチＳＷ１，ＳＷ２を開極させるとともに、スイッチＳＷ３を閉極させ、さらに充放電回路８により二次電池９の放電を開始させる。この時、通電時に充電された電荷が二次電池９から放出され、スイッチＳＷ３を介してＬＥＤ点灯回路２５に電源が供給されるので、ＬＥＤ点灯回路２５からＬＥＤ２６に励磁電流が供給されて、ＬＥＤ２６が点灯する。
【００５６】
ここで、入／切スイッチ７により明るさ検知機能がオフになっている場合は、制御回路１０では、周囲の明るさの明暗に関係なく、停電が発生すると二次電池９を電源としてＬＥＤ２６を点灯させているが、入／切スイッチ７により明るさ検知機能がオンに設定されると、停電発生時に明るさセンサ回路６が検知した周囲の明るさが、所定の基準値よりも暗くなった場合のみ、充放電回路８により二次電池９の放電を開始させ、二次電池９を電源としてＬＥＤ２６を点灯させるので、周囲が基準値よりも明るい場合にはＬＥＤ２６が点灯することはなく、二次電池９の消耗を抑制して、電池寿命を延ばすことができるとともに、二次電池９に容量の小さいものを使用することができる。
【００５７】
なお明るさセンサ回路６の受光部は、引掛接続部３に天井直付け型（シーリング型）の照明器具１０２’が接続された場合に、当該照明器具１０２’によって覆われる部位に配置されているので、天井直付け型の照明器具１０２’が接続されると、明るさセンサ回路６により検出される明るさが基準値よりも暗くなるから、停電検知回路５が停電を検知した場合には常に光源を点灯させることができる。
【００５８】
上述のように本実施形態では、停電時において引掛シーリング１に設けたＬＥＤ２６が点灯するから、引掛シーリング１自体を非常灯として機能させることができる。ここにおいて、露出型の引掛シーリング１では、器体１１の側周面にＬＥＤ２６が配設されているので、図８（ａ）に示すようにＬＥＤ２６からの照射光Ａ１を周方向に配光して、天井面２０１を明るく照らすことができる。また埋込型の引掛シーリング１では、器体１１の下面の外周部にＬＥＤ２６が配設されているので、図８（ｂ）に示すようにＬＥＤ２６からの照射光Ａ２を下方向に配光して、床面を明るく照明することができる。また実施形態１、２では停電時に二次電池９を電源として引掛接続部３に接続された照明器具よりなる直流機器１０２を点灯させているのに対して、本実施形態では引掛シーリング１に設けたＬＥＤ２６を点灯させているので、光源による消費電流を更に低減して、二次電池９による点灯時間を延ばすことができ、また二次電池９に容量の小さい電池を使用することもできる。
【００５９】
ところで、上述の各実施形態で説明した引掛シーリング１は、以下に示す直流配電システムに用いられるものである。ここでは本発明を適用する建物として戸建て住宅の家屋を想定して説明するが、本発明の技術思想を集合住宅に適用することを妨げるものではない。家屋Ｈには、図９に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流供給線路Ｗｄｃ上で直流電力供給部１０１から直流機器１０２への給電を制限ないし遮断する直流ブレーカ１１４が設けられる。
【００６０】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００６１】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００６２】
図示例では、サブシステムとして、パーソナルコンピュータ、無線アクセスポイント、ルータ、ＩＰ電話機のような情報系の直流機器１０２からなる情報機器システムＫ１０１、照明器具のような照明系の直流機器１０２からなる照明システムＫ１０２，Ｋ１０５、来客対応や侵入者の監視などを行う直流機器１０２からなるインターホンシステムＫ１０３、火災感知器のような警報系の直流機器１０２からなる住警器システムＫ１０４などがある。各サブシステムは、自立分散システムを構成しており、サブシステム単独でも動作が可能になっている。
【００６３】
上述した直流ブレーカ１１４は、サブシステムに関連付けて設けられており、図示例では、情報機器システムＫ１０１、照明システムＫ１０２およびインターホンシステムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２とインターホンシステムＫ１０３との間に接続ボックス１２１が設けられている。
【００６４】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００６５】
照明システムＫ１０２、Ｋ１０５としては、家屋Ｈに先行配置される照明器具（直流機器１０２）からなる照明システムＫ１０２と、天井に先行配置される直流配電系の引掛シーリング１３３に接続する照明器具（直流機器１０２）からなる照明システムＫ１０５とが設けられる。引掛シーリング１３３には、家屋Ｈの内装施工時に施工業者が照明器具を取り付けるか、または家人自身が照明器具を取り付ける。
【００６６】
照明システムＫ１０２を構成する直流機器１０２である照明器具に対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具への指示には、点灯、消灯、調光、点滅点灯などがある。
【００６７】
上述した直流コンセント１３１、引掛シーリング１３３には、任意の直流機器１０２を接続することができ、接続された直流機器１０２に直流電力を出力するから、以下では直流コンセント１３１、引掛シーリング１３３を区別する必要がない場合には「直流アウトレット」と呼ぶ。
【００６８】
これらの直流アウトレットは、直流機器１０２に直接設けた接触子（図示せず）または接続線を介して設けた接触子（図示せず）が差し込まれる差込式の接続口が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００６９】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００７０】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００７１】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００７２】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００７３】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００７４】
また、宅内の機器において火災検知など通信端末に通知すべきイベントが生じたときには、宅内の機器からセンタサーバ２００に通知し、センタサーバ２００から通信端末に対して電子メールによる通知を行う。
【００７５】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００７６】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００７７】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具の点灯あるいは消灯の動作を行うことが可能になる。また、連動動作の関係付けはサブシステム内で行うことが多いが、サブシステムを超える関係付けも可能である。
【００７８】
ところで、直流電力供給部１０１は、基本的には、商用電源のように宅外から供給される交流電源ＡＣの電力変換により直流電力を生成する。図示する構成では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００７９】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００８０】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００８１】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００８２】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００８３】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器１０２に用いる通信信号と同様に直流電圧に重畳する形式で伝送する。
【００８４】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００８５】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【図面の簡単な説明】
【００８６】
【図１】（ａ）は実施形態１の引掛シーリングを用いた配電システムの要部を示す概略のシステム構成図、（ｂ）は同上の引掛シーリングの概略的なブロック図である。
【図２】同上の露出型の一形態を示す分解斜視図である。
【図３】同上の露出型の一形態を示す外観斜視図である。
【図４】同上の埋込型の一形態を示す外観斜視図である。
【図５】（ａ）は実施形態２の引掛シーリングを用いた配電システムの概略的なシステム構成図、（ｂ）は同上の引掛シーリングの概略的なブロック図である。
【図６】実施形態３の引掛シーリングの概略的なブロック図である。
【図７】（ａ）は同上の露出型の一形態を示す外観斜視図、（ｂ）は同上の埋込型の一形態を示す外観斜視図である。
【図８】（ａ）（ｂ）は同上の使用状態を説明する説明図である。
【図９】各実施形態の引掛シーリングを用いる直流配電システムのシステム構成図である。
【符号の説明】
【００８７】
１  引掛シーリング
２ａ  電源接続用端子
３  引掛接続部
４  ＡＣ−ＤＣ変換回路（ＡＣ−ＤＣ変換部）
５  停電検知回路（停電検知部）
６  明るさセンサ回路
７  入／切スイッチ
８  充放電回路
９  二次電池
１０  制御回路（点灯制御部）
１１  器体
１９  引掛栓刃挿入口
２２  引掛栓刃受部
４０  引掛キャップ
４１  引掛栓刃
１０２，１０２’  直流機器（光源）
【図１】
2009158299.tif 000003
【図２】
2009158299.tif 000004
【図３】
2009158299.tif 000005
【図４】
2009158299.tif 000006
【図５】
2009158299.tif 000007
【図６】
2009158299.tif 000008
【図７】
2009158299.tif 000009
【図８】
2009158299.tif 000010
【図９】
2009158299.tif 000011